(57)【要約】【課題】ブラケット装置が締付けねじの回りを回動可能で係合孔に沿って撮像装置と相対移動できるにすぎず、ブラケット装置の相対位置の設定自由度が低い。【解決手段】撮像装置の装着される第１の固定部材１０に第２の固定部材２０が固定手段２４によって固定可能となっている。固定手段２４となるピン１６Ｒ、締付けねじ４０Ｒが第１の固定部材２０に設けられ、ピン１６Ｒ、締付けねじ４０Ｒの一部(小径の非ねじ部４０ｄ)の嵌合する係合孔２２が第２の固定部材２０に形成されている。係合孔２２は第２の固定部材２０の幅方向略中央で長手方向に伸びた長溝孔２２ａと、長溝孔の途中から左右に円弧状に分岐した円弧状溝孔２２ｂと、円弧状溝孔に連続して形成され係止溝孔２２ｃとを有し、円弧状溝孔にピン１６Ｒを導きながら第２の固定部材は締付けねじの小径部４０ｄを回動中心として回動可能となっている。【選択図】図３
2006243632.tif 000002
【特許請求の範囲】
【請求項１】
撮像装置の側方に張り出し、撮像装置に固定可能な第１の固定部材と、
上記撮像装置の側方で上記第１の固定部材に対し水平方向に所定の角度で回動可能な第２の固定部材と、
上記第１の固定部材に対し上記第２の固定部材を上記所定の角度で固定可能な固定手段と、
を具備するブラケット装置。
【請求項２】
上記第２の固定部材は、上記第１の固定部材に対して伸縮可能であることを特徴とする請求項１記載のブラケット装置。
【請求項３】
上記伸縮のための長溝孔と、上記回動のために上記長溝孔の途中から分岐して形成された円弧状溝孔と、上記所定の角度で係止するために上記円弧状溝孔に連続して設けられた別の溝孔と、を有する係合孔が上記第２の固定部材に設けられ、
上記固定手段は、上記第１の固定部材に設けられて上記係合孔と係合するピンと、上記係合孔を挿通し、上記第１の固定部材に形成されたねじ孔に螺着されて上記第１、第２の固定部材を固定する締付ボルトとを備えていることを特徴とする請求項２記載のブラケット装置。
【請求項４】
上記伸縮のための長溝孔と、上記回動のために上記長溝孔の途中から分岐して形成された円弧状溝孔と、上記所定の角度で係止するために上記円弧状溝孔に連続して設けられた別の溝孔と、を有する係合孔が上記第１の固定部材に設けられ、
上記固定手段は、上記第２の固定部材に設けられて上記係合孔と係合するピンと、上記係合孔を挿通し、上記第２の固定部材に形成されたねじ孔に螺着されて上記第１、第２の固定部材を固定する締付ボルトとを備えていることを特徴とする請求項２記載のブラケット装置。
【請求項５】
当該ブラケット装置は上記第２の固定部材、上記固定手段をそれぞれ２つずつ具備し、
上記第１の固定部材の水平方向の一端および他端で、上記第１の固定部材に、上記固定手段によって上記第２の固定部材がそれぞれ固定されることを特徴とする請求項１乃至４記載のブラケット装置。
【発明の詳細な説明】
【技術分野】
【０００１】
本発明は、銀塩カメラ、デジタルカメラ、ビデオカメラなどの撮像装置などに装着されるブラケット装置に関する。
【背景技術】
【０００２】
撮像装置のためのブラケット装置が知られている。この種のブラケット装置には、たとえば、ハンドグリップ（把持部）やストロボホルダー（ストロボ支持部）が設けられ、ブラケット装置のハンドグリップを掴むことにより比較的重量のある撮像装置も確実に保持できる。また、ブラケット装置のストロボホルダーに外付けのストロボ装置を取付けることにより、外付けのストロボ装置を撮像装置に直接取付ける場合に比較して、被写体に対するストロボ装置の位置、閃光角度などが適切に設定できる。特に、撮像装置を防水ハウジングに収納して行う水中撮影では、陸上での通常の撮影に比べて光量が不足するため、ストロボ装置の使用は不可欠であり、防水ハウジングに装着したブラケット装置に大光量の外付けストロボ装置を取付けて水中撮影がなされている。
【０００３】
ブラケット装置は、撮像装置（撮像装置を収納した防水ハウジングを含む）の底部の三脚取付け孔（ねじ孔）に螺着される底板と、底板の両端に位置する２つの直立側板とを有した略コ字形状とされるものがある。
たとえば、特開昭５７−０４８７２８号公報においては、底板と２つの直立側板とは一体的に形成され、ブラケット装置の底板に長手方向に伸びた長溝孔よりなる係合孔を設け、この係合孔を挿通して締付けねじがカメラ底部の三脚取付け孔に螺着されている。そのため、ブラケット装置は締付けねじを回動中心として回動できるとともに、係合孔に沿ってカメラと相対移動でき、カメラの把持位置およびストロボ装置の位置を適切に設定できる。
【特許文献１】特許２００３−１０７５７０号公報
【発明の開示】
【発明が解決しようとする課題】
【０００４】
しかし、上記特開昭５７−０４８７２８号公報のブラケット装置では、底板と２つの直立側板とは一体的に形成されているため、ブラケット装置が締付けねじの回りを回動可能で係合孔に沿ってカメラと相対移動できるとはいえ、カメラに対するブラケット装置の相対位置の設定自由度が低く、使い勝手がよいとはいえない。
また、底板と２つの直立側板とが一体的に形成され、底板に対して直立側板の位置が固定されるため、カメラの把持位置とストロボ装置の取付け位置との相対関係が固定され、この点からも使用勝手がよいとはいえない。
【課題を解決するための手段】
【０００５】
本発明のブラケット装置は、撮像装置の側方に張り出し、撮像装置に固定可能な第１の固定部材と、上記撮像装置の側方で上記第１の固定部材に対し水平方向に所定の角度で回動可能な第２の固定部材と、上記第１の固定部材に対し上記第２の固定部材を上記所定の角度で固定可能な固定手段と、を具備している。
【発明の効果】
【０００６】
本発明によれば、撮像装置の固定される第１の固定部材に第２の固定部材が水平方向で回動可能であるため、第２の固定部材にハンドグリップまたはストロボホルダを設ければ、撮像装置に対するカメラの把持位置またはストロボ装置の取付け位置の設定自由度が増し、使い勝手が向上する。
【発明を実施するための最良の形態】
【０００７】
本発明では、撮像装置の固定される第１の固定部材に第２の固定部材が水平方向で回動可能とされ、固定手段によって第１、第２の固定部材が所望の回動位置で固定される。
【実施例１】
【０００８】
以下、図面を参照して本発明の実施例について説明する。図１は本発明の実施例１に係るブラケット装置１００の斜視図であり、第１〜第３の固定部材１０、２０、３０を具備して構成され、これらの固定部材から底板が構成され、実施例１では第３の固定部材は直立側板を兼ねている。
【０００９】
図１に示すように、第１の固定部材１０は、長手方向の中央部１０Ｃに対して左右の端部１０Ｌ、１０Ｒを上下方向に低く配置した略山型形状に形成され、緩衝材１２が中央部上面に貼付され、撮像装置、たとえば、カメラが緩衝材を介してブラケット装置１００に配置される。そして、長手方向に伸びた長溝孔１４ａからなる係合孔１４が、緩衝材１２、中央部１０Ｃにそれぞれ形成され、固定手段である締付けねじ４０がそれらの係合孔を下方から挿通してカメラ底部の三脚孔（ねじ孔）に螺着されて、カメラがブラケット装置に装着、固定される。
【００１０】
図２は締付けねじ４０の概略図であり、（Ａ）は正面図、（Ｂ）は平面図を示す。図２に示すように、締付けねじ４０はヘッド部４０ａと軸部４０ｂとを備えて構成され、６つの凹み４０ａ’が周方向に等角にヘッド部に形成されている。凹み４０ａ’があることにより、ヘッド部４０ａが確実に把持でき、工具なしに締付けねじ４０が容易に回動できる。軸部４０ｂの先端にねじ部４０ｃが形成され、軸部の基部から中間部にかけてはねじ部より小径の非ねじ部（小径部）４０ｄとなっている。締付けねじのねじ部４０ｃを挿通させる大径孔１４ａ’が、たとえば、係合孔１４の左端部に形成されている（図１参照）。そのため、係合孔の大径孔１４ａ’に締付けねじのねじ部４０ｃを下方から挿通させた後、係合孔に沿って締付けねじ４０をずらせば、ねじ部の径は係合孔の幅より大きいため、ねじ部が係合孔上に係止され、締付けねじは第１の固定部材１０に保持される。なお、後述するように、第２、第３の固定部材２０、３０も同一形状の締付けねじ４０（４０Ｒ、４０Ｌ）によって第１の固定部材１０にそれぞれ固定される。
【００１１】
図１に示すように、第１の固定部材１０の両端部には、第２、第３の固定部材２０、３０がそれぞれ固定される。実施例では、第１の固定部材１０に対して、第２の固定部材２０は長手方向に伸縮可能、つまり互いに相対移動可能でかつ回動可能に第１の固定部材１０の右端部１０Ｒに締付けねじ４０Ｒによって固定され、第３の固定部材３０は長手方向に伸縮可能、つまり互いに相対移動可能に第１の固定部材１０の左端部１０Ｌに締付けねじ４０Ｌによって固定される。
【００１２】
図３は撮像装置２００の装着されたブラケット装置１００を示し、（Ａ）は正面図、（Ｂ）は底面図である。図示の配置例では、撮像装置２００はカメラを収納した防水ハウジングとして図示され、ストロボ装置を収納したストロボ用防水ハウジング３００がストロボホルダ３０２を介して第２の固定部材２０に装着されている。
【００１３】
図１に示すように、ピン１６Ｒがその端部を第１の固定部材１０の右端部１０Ｒに植設されて下方に突出して伸び、このピンと嵌合する係合孔２２が第２の固定部材２０に形成されている。ピン１６Ｒは第１の固定部材１０の幅方向略中央に設けられ、このピン１６Ｒの近傍には幅方向略中央で第１の固定部材の中央部１０Ｃ寄りにねじ孔１０ａが第１の固定部材の右端部１０Ｒに形成されている。第１の固定部材の中央部１０Ｃの締付けねじ４０（４０Ｃ）と同一形状の締付けねじ４０Ｒは、その軸部の小径部（非ねじ部）４０ｄ（図２（Ａ）参照）を第２の固定部材の係合孔２２に挿通し、軸部先端のねじ部４０ｃは第１の固定部材のねじ孔１０ａＲに螺着して第１の固定部材下方に第２の固定部材２０を保持している。
【００１４】
図４、図５は、いずれも、第１の固定部材の右端部１０Ｒおよび第２の固定部材２０の底面図であり、図４は第２の固定部材２０の回動状態を、図５は第２の固定部材２０の伸縮状態をそれぞれ示し、図５の（Ａ）では第２の固定部材は後退位置（短縮位置）にあり、（Ｂ）では引出位置（伸長位置）にある。また、図６は第２の固定部材２０の部分拡大図を示し、（Ａ）は非回動位置を、（Ｂ）（Ｃ）は回動位置をそれぞれ示す。
【００１５】
第２の固定部材２０の係合孔２２の形状に特徴があり、図６に示すように、係合孔には、第１の固定部材１０に対する第２の固定部材２０の伸縮を可能とする長溝孔２２ａと、回動を可能とする円弧状溝孔２２ｂと、係止のための溝孔（係止溝孔）２２ｃとを有して形成されている。長溝孔２２ａ、円弧状溝孔２２ｂ、係止溝孔２２ｃは、いずれも同一の溝幅に形成され、第１の固定部材の右端部１０Ｒのピン１６Ｒ、締付けねじ４０Ｒの小径部（非ねじ部）４０ｄの嵌合可能な大きさとなっている。
【００１６】
係合孔２２について詳細に述べると、長溝孔２２ａは、第２の固定部材２０の幅方向略中央で長手方向に伸び、円弧状溝孔２２ｂは長溝孔の途中から左右に円弧状に分岐して形成され、係止溝孔２２ｃは円弧状溝孔に連続して形成され、実施例では左右の円弧状溝孔の先端にそれぞれ設けられている。円弧状溝孔２２ｂの内外の円弧２２ｂｉ、２２ｂoは、図６（Ａ）に示すように、ピン１６が円弧状溝孔２２ｂの円弧軌跡内にあるときに位置する締付けねじ４０Ｒの小径部（非ねじ部）４０ｄの軸心Ｏを中心とする半径Ｒｉ、Ｒｏの円弧となっている。また、第１の固定部材の中央部１０Ｃの係合孔１４と同様に、長溝孔２２ａには、締付けねじのねじ部４０ｃの挿通可能な大径孔２２ａ’が形成されている。
【００１７】
ピン１６Ｒが係合孔の長溝孔２２ａに嵌合され、締付けねじ４０Ｒの先端のねじ部４０ｃが係合部の大径部２２ａ’を挿通して第１の固定部材のねじ孔１０ａＲに螺着されることにより、第２の固定部材２０は第１の固定部材１０に保持され、締付けねじを締付けることにより固定される。ねじ部４０ｃがねじ孔１０ａＲに螺着された状態では、締付けねじの小径部４０ｄは係合孔２２に嵌合されている。
【００１８】
ピン１６Ｒ、締付けねじ４０Ｒの小径部（非ねじ部）４０ｄが、いずれも、係合孔２２に嵌合されるため、ピン、小径部をガイドとして、第１の固定部材１０に対して第２の固定部材２０はその長手方向にスライドでき、伸縮可能（相対移動可能）となる。
ここで、第１の固定部材１０の長手方向をＸ方向とし、撮像対象となる被写体側から撮像装置を見たとき、右方向を＋、左方向を−とする。また、説明中、右左の定義も撮影対象となる被写体側から撮像装置を見たときを基準とする。そして、第２の固定部材２０を−Ｘ方向にスライドさせれば、ピン１６Ｒに係合孔の長溝孔２２ａの右端、すなわち撮像装置から一番遠い側の端部が当接するまで第２の固定部材はスライドし、ピンに長溝孔の右端の当接する図５（Ａ）の位置が第１の固定部材１０に対する第２の固定部材の最接近位置となる。また、第２の固定部材２０をＸ方向にスライドさせれば、係合孔の長溝孔２２ａの左端、すなわち撮像装置から一番近い側の端部が締付けねじの小径部４０ｄに当接するまで第２の固定部材２０はスライドし、締付けねじの小径部４０ｄに長溝孔２２ａの左端の当接する図５（Ｂ）の位置が第１の固定部材１０に対する最離反位置となる。最接近位置は後退位置（短縮位置）、最離反位置は引出位置（伸長位置）ということができ、その距離Ｌ２は第１固定部材に対する第２の固定部材２０の伸縮距離となり、この距離Ｌ２の範囲で第２の固定部材２０は伸縮されて、その位置が長手方向で自由に設定できる。
【００１９】
ピン１６Ｒを円弧状溝孔２２ｂの円弧軌跡内に位置させて、つまり、長溝孔２２ａと円弧溝孔２２ｂとの交差する位置に位置させて、締付けねじの小径部４０ｄを中心として第２の固定部材２０をいずれかの方向に回動させれば、円弧状溝孔２２ｂ内にピン１６Ｒが導かれ、第２の固定部材は第１の固定部材１０に対し水平面内で折り曲げられることとになる。
【００２０】
図６（Ｂ）（Ｃ）に示すように、円弧状溝孔２２ｂと係止溝孔２２ｃとの交差する位置、つまり、円弧状溝孔２２ｂの端にピン１６Ｒが当接した位置で第２の固定部材２０を−Ｘ方向にスライドさせれば、ピンは係止溝孔２２ｃに導かれる。そして、一点鎖線で示すように、ピン１６Ｒが係止溝孔２２ｃ内に位置するまで第２の固定部材２０を−Ｘ方向にスライドさせた後、締付けねじ４０Ｒを締付ければ、第２の固定部材はその回動位置に固定される。ここで、ピン１６Ｒが係止溝孔２２ｃに入り込んでいるため、小径部４０ｄを回動中心とした第２の固定部材の回動はもはや許されず、締付けねじ４０Ｒを締付けることにより、第２の固定部材２０は第１の固定部材に対して回動不能に固定される。
このように、第２の固定部材２０は、ピン１６Ｒ、締付けねじ４０Ｒによって回動不能に確実に固定され、ピン、締付けねじは第２の固定部材の固定手段２４として機能する。
【００２１】
なお、図４に実線で示す第２の固定部材２０の位置は図６（Ｂ）の回動固定位置に、図４の一点鎖線で示す位置は図６（Ｃ）の回動固定位置にそれぞれ対応する。図４のθで示す第２の固定部材２０の回動角度は、たとえば６５°となるように設定される。
【００２２】
図３〜５において、参照符号２６は第１の固定部材１０から離反した第２の固定部材２０の端部（右端部）に形成された長手方向の長溝孔であり、長溝孔を囲んで左右に２つずつ計４個の貫通孔２６ａが第２の固定部材に形成されている。そして、長溝孔２６を利用してストロボホルダ３０２が第２の固定部材２０に装着されるともに、ねじ３０２ａが下方から貫通孔２６ａを貫通してストロボホルダ底面のねじ孔に螺着されることにより、ストロボホルダが第２の固定部材に固定される。そして、ストロボホルダ３０２を介してストロボ用防水ハウジング３００が取付けられる。
【００２３】
第１の固定部材１０に対して第２の固定部材２０が前後方向で６５°の範囲で回動可能であるため、第２の固定部材上のストロボ内蔵の防水ハウジング３００は、第１の固定部材上のカメラ内蔵の防水ハウジング２００に対して前後方向の適当な回動位置に設定でき、広範囲に設定でき、設定自由度が高いため、使用勝手がよくなる。また、第２の固定部材２０が距離Ｌ２の範囲で伸縮可能であるため、ストロボ内蔵の防水ハウジング３００はカメラ内蔵の防水ハウジング１０に対して適当な伸縮位置に設定でき、この点からも使用勝手がよくなる。
特に実施例では、第２の固定部材２０は回動可能だけでなく伸縮可能であるため、適当な伸縮位置と適当な回動位置とを組合わせることにより、ストロボ内蔵の防水ハウジング３００の設定位置が広範囲に得られ、使い勝手が飛躍的に向上する。
また、係合孔２２が係止溝２２ｃを有して構成されており、ピン１６Ｒをこの係止溝に係止させて締付けねじ４０Ｒを締付けることにより、第２の固定部材２０を回動不能に確実に固定できる。
さらに、円弧状溝孔２２ｂを一方向でなく相反する二方向に設けているため、前後方向への第２の固定部材２０の回動が迅速、容易に設定できる。
【００２４】
次に、第３の固定部材３０について述べる。図７は第３の固定部材３０の部分拡大部を示し、（Ａ）は後退位置（短縮位置）での部分拡大図、（Ｂ）は引出位置（伸長位置）での部分拡大図である。図１、３に示すように、第１の固定部材１０の右端部１０Ｒと同様に、第１の固定部材の左端部１０Ｌにも、ピン１６Ｌ、締付け部材４０Ｌが設けられており、ピン、締付け部材によって第３の固定部材は第１の固定部材に固定され、ピン、締付け部材は第３の固定部材の固定手段となる。すなわち、ピン１６Ｌがその端部を第１の固定部材の左端部１０Ｌに植設されて下方に突出して伸び、このピンと嵌合する係合孔３２が第３の固定部材３０に形成されている。図７に示すように、係合孔３２は、第２の固定部材２０の係合孔２２とは異なり、長溝孔３２ａから構成されている。
【００２５】
ピン１６Ｌは第１の固定部材の左端部１０Ｌの幅方向略中央に設けられ、幅方向略中央で第１の固定部材の中央部１０Ｃ寄りにねじ孔１０ａＬが第１の固定部材の左端部１０Ｌに形成されている。締付けねじ４０Ｌは、上記第１の固定部材１０の締付けねじ４０と同一のものであり、その軸部の先端にねじ部４０ｃを持ち、軸部の基部から中間部にかけてはねじ部より小径の非ねじ部４０ｄとなっている。そして、係合孔３２を介してねじ部４０ｃを下方から第１の固定部材のねじ孔１０ａＬに螺合させることによって、締付けねじが第１の固定部材に保持されている。ねじ部４０ｃをねじ孔１０ａＬに螺合させた状態では、締付け部材の小径部（非ねじ部）４０ｄは係合孔３２に嵌合される。また、締付けねじ４０Ｌのねじ部の挿通される大径孔３２ａ’が係合孔３２（長溝孔３２ａ）に形成されている。
【００２６】
第１の固定部材１０（詳細にはその左端部１０Ｌ）にピン１６Ｌ、締付け部材４０Ｌを、第３の固定部材３０に係合孔３２をそれぞれ設けることにより、第１の固定部材に対して第３の固定部材は、係合孔３２を案内するピン１６Ｌ、締付け部材の小径部４０ｄにガイドされてスライドされ、伸縮可能となる。つまり、図７（Ａ）に示すように、Ｘ方向に第３の固定部材３０をスライドさせてピン１６Ｌに係合孔３２の左端を当接させれば、第１の固定部材１０に対する第３の固定部材の最接近位置（後退位置）が得られる。また、図７（Ｂ）に示すように、−Ｘ方向に第３の固定部材３０をスライドさせて、締付け部材の小径部４０ｄに係合孔３２の右端を当接させれば、第３の固定部材の最離反位置（引出し位置）が得られ、距離Ｌ３の範囲で第１の固定部材１０に対して第３の固定部材が伸縮される。第３の固定部材３０を適当な伸縮位置にスライドさせた後、締付けねじ４０Ｌを締付けることにより第１の固定部材に第３の固定部材３０が固定されることはいうまでもない。
【００２７】
実施例では、図１に示すように、第３の固定部材３０は直立側板３４を一体に備えて形成されており、直立側板の中央部にハンドグリップ３６が取付けられている。直立側板３４の上端は水平に折曲され、第２の固定部材の右端部と同様に、長溝孔２６がその水平折曲部３４ａの端部に形成されるとともに、４つの貫通孔２６ａが長溝孔２６の周りに形成されている。そのため、ストロボ用防水ハウジング３００を第３の固定部材３０（具体的には、水平折曲部３４ａ）に装着することもできる。
【００２８】
図８はカメラを収納した防水ハウジング２００の装着されたブラケット装置１００の部分正面図であり、（Ａ）では第３の固定部材３０は防水ハウジングから最も離反され、（Ｂ）では最も接近されている。つまり、中央の締付けねじ４０Ｃの小径部４０ｄが第１の固定部材の係合孔１４の右端に当接するまで防水ハウジング２００を右方（Ｘ方向）にスライドさせてから締付けねじ４０Ｃが締付けられる。また、第３の固定部材の係合孔３２の右端が第１の固定部材上の締付けねじ４０Ｌの小径部４０ｄに当接するまで第３の固定部材３０を左方（−Ｘ方向）にスライドさせてから締付けねじ４０Ｌが締付けられる。
このように、第１の固定部材１０に対して防水ハウジング２００を右方に、第３の固定部材３０を左方にそれぞれスライドさせれば、防水ハウジングから最も離反した位置（最離反位置）に第３の固定部材が設定される。
【００２９】
図８（Ａ）とは逆に、中央の締付けねじ４０Ｃの小径部４０ｄが第１の固定部材の長溝孔１４の左端に当接するまで防水ハウジング２００を左方（−Ｘ方向）にスライドさせるとともに、第３の固定部材の係合孔３２の左端が第１の固定部材のピン１６Ｌに当接するまで第３の固定部材を右方（Ｘ方向）にスライドさせて、締付けねじ４０Ｃ、４０Ｌを締付ければ、防水ハウジングに最も接近した位置（最接近位置）に第３の固定部材が設定される（図８（Ｂ）参照）。
【００３０】
図８（Ａ）の最離反位置では、ハンドグリップ３６と防水ハウジング２００との間に大きな隙間を残してハンドグリップ、防水ハウジングを配置される。そのため、図示の防水ハウジング２００より横幅のある大きな防水ハウジングがブラケット装置１００に装着できる。
つまり、第１、第３の固定部材１０、３０に長手方向の係合孔（長溝孔）１４、３２を設けることにより、第１の固定部材に対して第３の固定部材が伸長可能となるとともに、防水ハウジング２００が第１の固定部材の長手方向で進退可能に取付けられ、横幅のある大きな防水ハウジングもブラケット装置１００に装着可能となる。また、防水ハウジング２００に対するハンドグリップ３６の位置を広範囲に設定でき、使い勝手のよいブラケット装置１０が得られる。
【００３１】
また、図８（Ｂ）の最接近位置では、ハンドグリップ３６、防水ハウジング２００がコンパクトにまとまり、ブラケット装置１００の長手方向に幅を取らない。そのため、たとえば、水中撮影において、ブラケット装置１００を立てることなく横にしたままで、海底の狭い岩の隙間などでの撮影も可能となり、この点においても使い勝手が向上する。以上のことは、第２の固定部材２０についても同様である。
【実施例２】
【００３２】
上記実施例１では、第２の回動部材２０は伸縮可能でかつ回動可能とされ、第３の固定部材３０は伸縮可能となっている。しかし、第３の固定部材３０も伸縮可能でかつ回動可能としてもよい。第３の固定部材の係合孔を第２の回動部材２０の係合孔２２と同様（左右対称）の形状とするだけで、第３の固定部材３０が伸縮可能でかつ回動可能となる。第３の固定部材３０も伸縮可能でかつ回動可能としたブラケット装置を実施例２として以下に示す。
【００３３】
図９は、実施例２における第３の固定部材３０の部分平面図であり、第３の固定部材３０の係合孔３２’は係合孔２２と左右対称の形状に形成されている。すなわち、係合孔３２’は、第１の固定部材１０に対する第３の固定部材２０の伸縮を可能とする長溝孔３２ａと、回動を可能とする円弧状溝孔３２ｂと、係止のための係止溝孔３２ｃとを有して形成され、円弧状溝孔の円弧の向きと係止溝孔の向きとが、係合孔２２の円弧状溝孔の円弧の向きと係止溝孔の向きとに対して左右逆になっている。寸法的には係合孔２２と同一形状であり、長溝孔３２ａ、円弧状溝孔３２ｂ、係止溝孔３２ｃは、いずれも同一の溝幅で、第１の固定部材の右端部１０Ｒのピン１６Ｒ、締付けねじ４０Ｒの小径部（非ねじ部）４０ｄの嵌合可能な大きさとなっている。また、係合孔３２’の長溝孔３２ａは、第３の固定部材２０の幅方向略中央で長手方向に伸びており、円弧状溝孔３２ｂは長溝孔の途中から左右に円弧状に分岐して形成され、係止溝孔３２ｃは円弧状溝孔に連続して、左右の円弧状溝孔の先端に形成されている。円弧状溝孔３２ｂの内外の円弧３２ｂｉ、３２ｂoは、ピン１６Ｌが円弧状溝孔３２ｂの円弧軌跡内にあるとき位置する締付けねじ４０Ｌの小径部（非ねじ部）４０ｄの軸心Ｏを中心とする半径Ｒｉ、Ｒｏの円弧となっている。長溝孔３２ａには、締付けねじ４０のねじ部４０ｃの挿通される大径孔３２ａ’が形成されている。
【００３４】
第２の固定部材の係合部２２と左右対称形状の係合孔３２’を第３の固定部材３０に設けることにより、第１の固定部材１０に対して第３の固定部材が伸縮可能でかつ回動可能となる。
実施例２では、第３の係合孔３２’が第１の実施例の係合孔３２と相違し、他の構成は第１の実施例と同一であるため、他の構成の説明は省略する。
実施例２においても、第２の固定部材２０だけでなく第３の固定部材３０も伸縮可能でかつ回動可能であるため、第３の固定部材の位置が一層広範囲に設定でき、使い勝手のよいブラケット装置が得られる。
【００３５】
なお、上記実施例１、２では、第２、第３の固定部材２０、３０に係合孔２２、３２（３２’）を形成し、固定手段であるピン１６Ｌ、１６Ｒ、締付けねじ４０Ｌ、４０Ｒ、を第１の固定部材１０に設けている。しかし、実施例１、２とは配置を逆に、つまり、係合孔２２、３２（３２’）を第１の固定部材に形成し、ピン１６Ｌ、１６Ｒ、締付けねじ４０Ｌ、４０Ｒを第２、第３の固定部材２０、３０に設けてもよい。
つまり、係合孔２２が第１の固定部材の右端部１０Ｒに形成され、ピン１６Ｒが第２の固定部材２０を設けられて、第１の固定部材の係合孔２２に嵌合される。そして、締付けねじ４０Ｒはその小径部４０ｄを第１の固定部材の係合孔２２に嵌合させて第２の固定部材のねじ孔に上から螺着される。
また、係合孔３２（３２’）が第１の固定部材の左端部１０Ｌに形成され、ピン１６Ｌが第３の固定部材３０を設けられて、第１の固定部材の係合孔３２に嵌合される。そして、締付けねじ４０Ｌはその小径部４０ｄを第１の固定部材の係合孔３２（３２’）に嵌合させて第２の固定部材のねじ孔に上から螺着される。
なお、この構成では、締付けねじ４０Ｌ、４０Ｒは第１の固定部材の左右端部１０Ｌ、１０Ｒの上に位置する。
【００３６】
係合孔、固定手段（ピン、締付けねじ）を実施例１、２と逆に配列した構成においても、実施例１、２と同様に、使い勝手のよいブラケット装置が得られる。
図１に示すように、実施例では、第１の固定部材１０が、その中央部１０Ｃに対して左右端部１０Ｌ、１０Ｒを上下方向に低く配置した略山型形状であるため、中央部と左右端部との間に段差が形成される。そのため、締付けねじ４０Ｌ、４０Ｒが第１の固定部材１０（左右端部１０Ｌ、１０Ｒ）の上に位置する配列においても、締付けねじの配置空間が十分に確保でき、ブラケット装置上の防水ハウジング３００などに邪魔されることなく、締付けねじの締付けが円滑に行える。
【００３７】
実施例では、第２の固定部材２０にストロボ用防水ハウジング３００を、第３の固定部材３０にハンドグリップ３６を設けている。しかし、これとは逆に、第２の固定部材２０にハンドグリップ３６を、第３の固定部材３０にストロボ用防水ハウジング３００を設けてもよい。
【００３８】
上記のように本発明では、第２の固定部材２０が第１の固定部材１０から分離して形成され、第１の固定部材に対して回動可能であるため、第２の固定部材が第１の固定部材に対して回動した位置にも第２の固定部材が設定できる。そのため、第２の固定部材に設けられるストロボ用防水ハウジング３００やハンドグリップ３６の位置が第１の固定部材１０上の撮像装置に対して回動した位置に設定でき、設定自由度が高くなり、使用勝手が改善される。また、第２の固定部材２０は第１の固定部材１０に固定手段２４で回動不能に確実に固定される。
【００３９】
上述した各実施例は本発明を説明するためのものであり、本発明は実施例に限定されるものではなく、本発明の要旨を逸脱しない範囲内において、変形や応用が可能であることはいうまでもない。
【産業上の利用可能性】
【００４０】
本発明によれば、撮像装置に対して回動した位置にストロボ装置やハンドグリップを設定でき、高い使い勝手の要求される分野に本発明が広範囲に応用できる。
【図面の簡単な説明】
【００４１】
【図１】本発明の実施例１に係るブラケット装置の斜視図を示す。
【図２】締付けねじの概略図を示す。
【図３】撮像装置の装着された図１のブラケット装置を示し、（Ａ）は正面図、（Ｂ）は底面図である。
【図４】第１の固定部材に対する回動状態を示す第２の固定部材の底面図である。
【図５】第１の固定部材に対する伸縮状態を示す第２の固定部材の底面図であり、（Ａ）では第２の固定部材は後退位置にあり、（Ｂ）では引出位置（伸長位置）にある。
【図６】第２の固定部材の部分拡大図を示し、（Ａ）は非回動位置での部分拡大図を、（Ｂ）（Ｃ）は回動位置での部分拡大図をそれぞれ示す。
【図７】第３の固定部材の部分拡大部を示し、（Ａ）は後退位置での部分拡大図、（Ｂ）は引出位置（伸長位置）での部分拡大図である。
【図８】カメラを収納した防水ハウジングの装着されたブラケット装置の部分正面図であり、（Ａ）は第３の固定部材を防水ハウジングから最も離反して設定した部分正面図、（Ｂ）は第３の固定部材を防水ハウジングに最も接近して設定した部分正面図である。
【図９】実施例２における第３の固定部材３０の部分平面図を示す。
【符号の説明】
【００４２】
１００        ブラケット装置
２００        撮像装置（カメラ内蔵の防水ハウジング）
３００        ストロボ装置内蔵の防水ハウジング
３０２        ストロボホルダ
１０          第１の固定部材
１０Ｃ、１０Ｌ、１０Ｒ    第１の固定部材の中央部、左端部、右端部
１４（１４ａ）            第１の固定部材の係合孔（長溝孔）
１６Ｌ、１６Ｒ            ピン
２０          第２の固定部材
２２          第２の固定部材の係合孔
２２ａ、２２ｂ、２２ｃ    係合孔の長溝孔、円弧状溝孔、係止溝孔
２４          固定手段
３０          第３の固定部材
３２（３２’） 第３の固定部材の係合孔
３２ａ        係合孔の長溝孔
４０Ｃ、４０Ｌ、４０Ｒ    締付けねじ
４０ａ、４０ｂ  締付けねじのヘッド部、軸部
４０ｃ、４０ｄ  軸部のねじ部、非ねじ部（小径部）
【図１】
2006243632.tif 000003
【図２】
2006243632.tif 000004
【図３】
2006243632.tif 000005
【図４】
2006243632.tif 000006
【図５】
2006243632.tif 000007
【図６】
2006243632.tif 000008
【図７】
2006243632.tif 000009
【図８】
2006243632.tif 000010
【図９】
2006243632.tif 000011